(57)【要約】      （修正有）【課題】湧水量が大きい区域にトンネルを構築する場合でも、掘削面積を最小限に抑えながら、大量の湧水をトンネル外に確実に排水できるようにしたトンネル内の湧水排水構造を提供する。【解決手段】トンネル１０内での湧水を排水するための湧水排出構造であって、トンネル１０内の道路２０下に埋設された薄板状の湧水案内部材３０と、湧水案内部材３０内を案内されてくる湧水をトンネル外に排水ための排水管とを備える。そこにおいて、薄板状の湧水案内部材３０は周囲面から内部に湧水が浸透可能でありかつ内部には浸透した湧水の流路が形成されている。【選択図】図１
2012031593.tif 000002
【特許請求の範囲】
【請求項１】
トンネル内での湧水を排水するための湧水排出構造であって、トンネル内の道路下に埋設された薄板状の湧水案内部材と、前記湧水案内部材内を案内されてくる湧水をトンネル外に排水ための排水管とを備えており、前記薄板状の湧水案内部材は周囲面から内部に湧水が浸透可能でありかつ内部には浸透した湧水の流路が形成されていることを特徴とするトンネル内の湧水排水構造。
【請求項２】
前記排水管は前記薄板状の湧水案内部材の路線方向の端部において該薄板状の湧水案内部材に接続していることを特徴とする請求項１に記載のトンネル内の湧水排水構造。
【請求項３】
前記排水管はトンネル内の道路下に所要長さにわたって配置されており、該排水管に沿うようにして前記薄板状の湧水案内部材が配置されていることを特徴とする請求項１に記載のトンネル内の湧水排水構造。
【請求項４】
前記薄板状の湧水案内部材は、組み立てると内部に湧水の流路としての空隙を確保できる樹脂製部材の２枚以上を上下方向に積み上げて構成され、かつ全体が透水性シートにより被覆されていることを特徴とする請求項１ないし３のいずれか一項に記載のトンネル内の湧水排水構造。
【発明の詳細な説明】
【技術分野】
【０００１】
本発明は、トンネル内の湧水排水構造に関する。
【背景技術】
【０００２】
トンネルを地中に構築した場合、周囲からの湧水がトンネル内に浸入するのは避けられない。また、トンネル内でも湧水が発生する。湧水がトンネル内に滞留して道路面が冠水状態となると、車両の通交が危険になるばかりでなく、路面を舗装しているアスファルトの劣化が促進されるので、トンネルには、湧水をトンネル外に排水するための湧水排水構造が付設されるのが普通である。
【０００３】
一般的なトンネル内の湧水排水構造は、トンネル内道路下に、土中の水が浸入可能な浸透性パイプ（メッシュ管や有孔管）を排水管として路線方向に沿って埋設する構造であり、排水管に浸透してきた湧水を排水管を通してトンネル外に排水することで、湧水がトンネル内に滞留するのを防止している。他のトンネル内の湧水排水構造として、透水性パイプからなる暗渠排水管をトンネル側壁を貫通して周囲の土中に浸入させ、該暗渠排水管に浸透してきた湧水をトンネル内道路下に配設した多孔性の中央排水管に案内して、中央排水管に直接浸透する湧水と一緒に、トンネル外に排水するようにしたものも採用されている。
【０００４】
また、特許文献１には、湧水量が多く、道路中央部の排水管だけでは十分な排水ができない場合の対策として、トンネル内の管理用通路の下にも導水路を設け、該導水路に道路面からの排水用の導水孔とトンネル側壁からの湧水用の導水孔とを形成する技術が記載されている。
【０００５】
また、特許文献２は、湧水ではなく、雨水のための一時的な貯水槽や貯留槽を構成するための部材として、組み立てると内部に貯留用の連続した空隙を確保できる樹脂製部材が記載されている。
【先行技術文献】
【特許文献】
【０００６】
【特許文献１】特開２００２−３２７６００号公報
【特許文献２】特開２００９−２４４４７号公報
【発明の概要】
【発明が解決しようとする課題】
【０００７】
従来のトンネル内の湧水排水構造において、大量の湧水を排出するためには、特許文献１に記載のようにメッシュ管や有孔管である排水管の本数を増設するか、増設しない場合には、大口径の排水管を用いる必要がある。しかし、複数本の排水管を埋設するのは、トンネルの施工工程を複雑にする恐れがある。また、１本の排水管で対処しようとすると、径の大きな排水管が必要となるが、現状ではメッシュ管や有孔管は径の大きさに限りがあり、的確に対処できないケースが起こり得る。さらに、仮に大径の排水管を設置すると、施工時での掘削面積が増加し、工費が大きくなるのを避けられない。
【０００８】
本発明は、上記のような事情に鑑みてなされたものであり、湧水量が大きい区域にトンネルを構築する場合でも、掘削面積を最小限に抑えながら、大量の湧水をトンネル外に確実に排水できるようにしたトンネル内の湧水排水構造を提供することを課題とする。
【課題を解決するための手段】
【０００９】
本発明によるトンネル内の湧水排水構造は、トンネル内の道路下に埋設された薄板状の湧水案内部材と、前記湧水案内部材内を案内されてくる湧水をトンネル外に排水ための排水管とを備えており、前記薄板状の湧水案内部材は周面から内部に湧水が浸透可能でありかつ内部には浸透した湧水の流路が形成されていることを特徴とする。
【００１０】
上記のトンネル内の湧水排水構造では、道路下に薄板状の湧水案内部材を埋設し、該湧水案内部材の周囲面から内部に湧水を浸透させるようにしている。湧水案内部材を薄板状とすることで、同じ断面積の部材を円筒管で作る場合と比較して、上下方向の厚みを薄くすることができる。すなわち、平面積が広くかつ厚さの薄い湧水案内部材を用いることで、施工時での掘削面積を最小限に抑えることができ、施工コストが低減する。
【００１１】
また、薄板状の湧水案内部材は広い表面積を有しており、その周囲面から内部に浸透する湧水量も大きくすることができるので、湧水量の大きな場所にトンネルを構築する場合でも、湧水に対して適切な対処が可能である。湧水案内部材内に浸透した湧水は、湧水案内部材内の流路を通りさらに排水管を通って速やかにトンネル外に排出されるので、トンネル内に湧水が滞留することはない。
【００１２】
本発明によるトンネル内の湧水排水構造の一態様において、前記排水管は前記薄板状の湧水案内部材の路線方向の端部において該薄板状の湧水案内部材に接続している。また、他の態様では、前記排水管はトンネル内の道路下に所要長さにわたって配置されており、該排水管に沿うようにして前記薄板状の湧水案内部材が配置されている。施工現場の環境に応じて、いずれかの態様を選択すればよい。いずれの場合も、排水管は浸透管であることが望ましい。
【００１３】
本発明によるトンネル内の湧水排水構造において、前記薄板状の湧水案内部材は、適宜の材料を用いて形成することができるが、好ましい形態は、組み立てると内部に湧水の流路としての連続した空隙を確保できる樹脂製部材を上下方向に積み上げて構成され、かつ全体が透水性シートにより被覆されている形態である。前記の樹脂製部材には、適宜の構成のものを用いることができるが、一例として、前記した特許文献２に記載される形状のものが挙げられる。
【００１４】
一般に、前記した特許文献２に記載されるような樹脂製部材はコンクリート製品と比較して軽量であり、大きさも適宜の大きさのものを容易に作ることができる。それを適数だけ組み合わせて薄板状の湧水案内部材とする作業も、メッシュ管や有孔管を敷設する作業と比較して容易であり、狭いトンネル内での施工性が向上する。軽量であることから人力施工も可能となる。また、前記した特許文献２に記載される樹脂製部材は、輸送時には、コンパクトに重ねることができ、輸送効率も高くなる利点がある。
【発明の効果】
【００１５】
本発明によれば、湧水量が大きい区域にトンネルを構築する場合でも、掘削面積を最小限に抑えながら、大量の湧水をトンネル外に確実に排水できるようにしたトンネル内の湧水排水構造が得られる。
【図面の簡単な説明】
【００１６】
【図１】本発明によるトンネル内の湧水排水構造の一形態を断面で示す概略図。
【図２】図１に示すトンネル内の湧水排水構造の要部を示す平面図。
【図３】本発明によるトンネル内の湧水排水構造の他の形態を断面で示す概略図。
【図４】図３に示すトンネル内の湧水排水構造の要部を示す平面図。
【図５】図３に示すトンネル内の湧水排水構造の要部を示す断面図。
【図６】湧水排水構造における湧水案内部材で用いる樹脂製部材の一例を説明するための図。
【発明を実施するための形態】
【００１７】
以下、本発明を実施の形態に基づき説明する。
図１および図２に示す形態において、１０はコンクリート造のトンネルであり、２０はアスファト舗装などが施されている道路である。道路２０の両側には、管理道路２１や排水溝２２などが付設されている。これらの構成は、従来のトンネル構造と同じであってよい。本発明によるトンネル内の湧水排水構造では、道路２０の下に、薄板状の湧水案内部材３０が設置されており、その点で従来の構造と相違している。
【００１８】
薄板状の湧水案内部材３０は、周囲面から内部に湧水が浸透可能でありかつ内部には浸透した湧水の流路が形成されている構成を備えるものであり、トンネル１０内の道路２０の全長にわたって、その下に設置されてもよく、他と比較して湧水量の大きい場所での道路下にのみ設置してもよい。図２では、トンネル１０内の道路下の一部にのみ薄板状の湧水案内部材３０を設置した状態を平面視で示しており、設置した薄板状の湧水案内部材３０の路線方向の両端部には、内部の湧水流路に連通するようにして、適宜の排水管２３，２３が接続している。
【００１９】
薄板状の湧水案内部材３０は適宜の樹脂製部材を用いて作ることができる。図６は、好適な樹脂製部材の一例を示しており、前記した特許文献２に記載されるものである。この樹脂製部材３１は全体として平面視で正方形状であり、下端が開放された箱状部の複数個がＸ方向に配列した箱列３２が、Ｘ方向に直交するＹ方向に間隔を空けながら必要列数だけ配列した構成を基本的に持つ。図６に示すように、必要な場合には異なった大きさの複数個の樹脂製部材３１を箱列３２の方向が同じ方向となるように寄せ集めて樹脂製部材３１とすることもできる。この樹脂製部材３１の多数枚を、前記箱列３２の方向が互いに直角に交差させながら２段あるいは３段程度に上下方向に積み上げることで、内部に連続した湧水案内流路３３を備えた湧水案内部材３０が形成される。敷設する平面方向の広がり枚数と、段積み数を適宜設定することにより、大きな平面積を持ちながら高さの低い（例えば、３０ｃｍ程度）形状の湧水案内部材３０、すなわち薄板状の湧水案内部材３０が得られる。
【００２０】
好ましくは、湧水案内部材３０の全体を、不織布やジオテキスタイル、樹脂製ネットのような透水性材料（図５の３５参照)で被覆する。それにより、樹脂製部材３１の積み上げ姿勢が安定化するとともに、湧水の内部への流入は許容しながら湧水案内流路３３内へ周囲の土壌が入り込むのを阻止することができる。
【００２１】
上記のトンネル内の湧水排水構造では、図６に示すような樹脂製部材３１を用いて湧水案内部材３０を構築することから、その施工はきわめて容易である。また、湧水案内部材３０は薄板状であることから、掘削面積を最小限に抑えてトンネルの施工することができる。さらに、湧水案内部材３０は広い表面積を有することから、大量の湧水を湧水案内部材３０内の湧水案内流路３３および排水管２３を通してトンネル外に排水することができる。
【００２２】
図３〜図５に示すトンネル内の湧水排水構造では、排水管２３がトンネル内の道路２０の中央下に所要長さにわたって配置されており、その排水管２３に沿うようにして、その左右に前記した薄板状の湧水案内部材３０、３０が配置されている点で、図１および図２に示したトンネル内の湧水排水構造と相違している。
【００２３】
左右の薄板状の湧水案内部材３０、３０は、排水管２３へ湧水が流入しやすいように、排水管２３側が下方となるように傾斜して設置されている。また、薄板状の湧水案内部材３０は、図４に示すように、路線方向の複数の箇所において導水管２４を介して前記した排水管２３と接続しており、薄板状の湧水案内部材３０から排水管２３への湧水の流入を確実にしている。
【００２４】
また、この例では、薄板状の湧水案内部材３０の上に、コンクリート床版３４を配置することで、道路面からの上載荷重によって樹脂製である薄板状の湧水案内部材３０が変形あるいは破損するのを防止している。なお、図５において、３５は薄板状の湧水案内部材３０を覆う透水性シートである。
【００２５】
本発明において、上記した排水管２３は、ポリエチレン管のような非浸透性の管でもよく、排水管２３の周囲の湧水が入り込むことのできる多数の孔を備えた有孔管あるいは浸透管であってもよい。さらに、図示しないが、トンネル外の湧水を引き込む透水性パイプからなる暗渠排水管をさらに設置して、その暗渠排水管内の湧水をも前記した薄板状の湧水案内部材３０内に導水するようにしてもよい。
【符号の説明】
【００２６】
１０…トンネル、
２０…道路、
３０…薄板状の湧水案内部材、
２３…排水管、
３１…薄板状の湧水案内部材を構成する樹脂製部材、
３３…薄板状の湧水案内部材内の湧水案内流路、
３４…コンクリート床版、
３５…透水性シート。
【図１】
2012031593.tif 000003
【図２】
2012031593.tif 000004
【図３】
2012031593.tif 000005
【図４】
2012031593.tif 000006
【図５】
2012031593.tif 000007
【図６】
2012031593.tif 000008